(57)【特許請求の範囲】
【請求項１】
照明器具の下降時間を記憶する記憶手段と、前記下降時間を前記記憶手段に手動で記憶させるタイマ時間設定部を有し前記記憶手段の前記下降時間をタイマ時間に設定する第１のタイマを有して前記照明器具の下降時に前記第１のタイマの動作により照明器具を自動停止させるタイマモード制御手段と、手動で前記照明器具を任意の位置に下降させた際の下降時間を前記記憶手段に記憶させるプリセット部を有し前記記憶手段の前記下降時間をタイマ時間に設定する第２のタイマを有して前記照明器具の下降時に前記第２のタイマの動作により照明器具を自動停止させるプリセットモード制御手段とを備え、前記タイマ時間設定部および前記プリセット部は前記記憶手段の同じ記憶部に前記下降時間を記憶させることを特徴とする照明用昇降装置制御装置。
【発明の詳細な説明】
【０００１】
【発明の属する技術分野】
この発明は、照明昇降装置制御装置に関するものである。
【０００２】
【従来の技術】
例えば高天井等に設置する照明器具のメンテナンスのために床高さまで照明器具を下ろすことを可能にする昇降装置（オートリフタ）を設け、これを制御する照明用昇降装置制御装置がある。
従来、オートリフタの制御盤には、タイマモード（手動タイマモードともいう）とプリセットモード（自動タイマモードともいう）およびマニュアルモード（非タイマモード）というモードが存在する。タイマモードとは予め下降時間を手入力で設定することにより適当な位置でオートリフタを停止させようとするものである。プリセットモードとは、下降時間を気にせずとりあえず照明器具を下降させ適当な位置で手動で停止させ、その位置を時間値として自動的に記憶し、次回からはただ下降させるだけで前回と同じ位置に停止するものである。マニュアルモードとは下降、上昇および停止をすべて手動で行なうもので、一切時間値を持たないものである。
【０００３】
【発明が解決しようとする課題】
以上３つのモードの中で、少なくともタイマを持つタイマモードとプリセットモードを具備したオートリフタ制御盤が存在した。
しかしながら、タイマモードとプリセットモードを切り換える場合、タイマモードで入力した人物と、プリセットモードで入力した人物が異なると、お互いにモードが変わっていることを知らないとき、入力したはずの停止位置で停止しないという問題が発生する。
【０００４】
したがって、この発明の目的は、モードの違いによる停止位置の違いが生じず、どのモードで操作しても同じ位置に停止することができる照明用昇降装置制御装置を提供することである。
【０００５】
【課題を解決するための手段】
この発明は、被制御装置の同一の動作に対し異なる複数の動作モードで設定可能な制御装置において、動作モードにかかわらず最新の設定を各動作モードの設定とするものである。
請求項１記載の照明昇降装置制御装置は、照明器具の下降時間を記憶する記憶手段と、前記下降時間を前記記憶手段に手動で記憶させるタイマ時間設定部を有し前記記憶手段の前記下降時間をタイマ時間に設定する第１のタイマを有して前記照明器具の下降時に前記第１のタイマの動作により照明器具を自動停止させるタイマモード制御手段と、手動で前記照明器具を任意の位置に下降させた際の下降時間を前記記憶手段に記憶させるプリセット部を有し前記記憶手段の前記下降時間をタイマ時間に設定する第２のタイマを有して前記照明器具の下降時に前記第２のタイマの動作により照明器具を自動停止させるプリセットモード制御手段とを備え、前記タイマ時間設定部および前記プリセット部は前記記憶手段の同じ記憶部に前記下降時間を記憶させることを特徴とするものである。
【０００６】
請求項１記載の照明昇降装置制御装置によれば、タイマモード制御手段およびプリセットモード制御手段ともに記憶手段に記憶した下降時間で照明器具を自動停止することができる。したがって、モードの違いによる停止位置の違いが生じず、どのモードで操作しても同じ位置に停止することができる。
【０００７】
【発明の実施の形態】
この発明の一実施の形態を図１から図４により説明する。すなわち、この照明用昇降装置制御装置は、記憶手段１と、タイマモード制御手段２と、プリセットモード制御手段３とを有する。
まず図３に示す照明用昇降装置について説明する。図３において、４は天井等に取付けられるオートリフタの本体であり、モータ５、制御部６および伝達部７からなり、制御部６および伝達部７はモータ５の回転をドラム（図示せず）に伝達し、モータ５の回転方向によりドラムに巻いた例えばワイヤロープ等のロープ８を巻き戻したり巻き取り、モータ５の停止状態では照明器具を停止位置にロープ８で吊持する。９は被昇降物接続部であり、照明器具（図示せず）を接続する。１０は被昇降物接続部９に設けられてロープ８を巻き掛けた滑車である。
【０００８】
モータ５が一方向に回転することによりドラムおよびロープ８を介して被昇降物接続部９が上昇し、逆方向に回転することにより被昇降物接続部９が下降し、いずれもモータ５が回転を停止することにより被昇降物接続部９がその位置に停止する。
図２はオートリフタの制御盤１１であり、１２は接点出力部、１３は電源部、１４は制御内容の信号入出力部、１５は制御部である。モータ５に給電する電力は制御盤１１の接点出力部１２により制御され、モータ５を照明器具の上昇方向に回転したり、モータ５を照明器具の下降方向に回転するように供給する。この接点出力部１２は多重信号線システムへも出力する。信号入出力部１４は、スイッチにより昇降操作をしたり、タイマモード制御手段の場合の時間設定をしたり、プリセットモード制御手段の場合の下降時間の設定のため手動でスイッチにより停止操作をしたり、モード指定ないしモード切り換えをする操作部、並びに各モードを表示する表示部に接続するものである。
【０００９】
制御部１５はこの実施の形態の制御装置の構成が含まれる。図１において、記憶手段１は、照明用昇降装置の下降時間を記憶する。
プリセットモード制御手段３は、手動で照明器具を任意の位置に下降させた際の下降時間をカウンタによりカウントし記憶手段１に記憶させるプリセット部（図示せず）を有し、記憶手段１の下降時間をタイマ時間に設定（参照）する第２のタイマ（図示せず）を有して、照明器具の下降時に第２のタイマの動作により照明器具を自動停止させる。実施の形態のプリセットモード制御手段では、手動操作によるオートリフタの照明器具の停止位置を時間値として記憶手段１に記憶し、次回下降させたとき、その時間値だけ動作させるので照明器具が再び同じ位置に停止する。そしてこのときの時間値を再度記憶する。これを繰り返すことによって時間値は更新されていく。つまり停止位置を手動操作で変えた場合でも、最後に変えた位置を記憶する。
【００１０】
タイマモード制御手段２は、下降時間を記憶手段１に手動で記憶させるタイマ時間設定部（図示せず）を有し、記憶手段１の下降時間をタイマ時間に設定（参照）する第１のタイマ（図示せず）を有して照明器具の下降時に第１のタイマの動作により照明器具を自動停止させる。
実施の形態のタイマモード制御手段は、時間値が記憶手段１に記憶されているもの、言い換えればプリセットモード制御手段で記憶している値を使用するので予め停止位置が決まった状態になっている。このとき手動で第１のタイマの時間値を変更すると、その下降時間が記憶手段１に記憶されるので、タイマモード制御手段での変更に止まらず、プリセットモード制御手段の時間値も変更することとなる。つまりタイマモード制御手段とプリセットモード制御手段は時間値を参照するとき同じ領域に記憶された記憶手段１の共通の値を見に行く。したがって変更したときにはその共通の値が変更され、２つのモードで同じ時間値になる。
【００１１】
図４は、プリセットモード制御手段およびタイマモード制御手段の制御フローを示している。タイマモード制御手段ではステップＳ1 でタイマ時間の設定か否かを判断し、ＹＥＳであればステップＳ2 でタイマ時間を入力し、ステップＳ3 でその現カウント値を時間値として記憶手段１の例えばＥＥＰＲＯＭに記憶してステップＳ4 に進み、ＮＯであれば記憶手段１の時間値をタイマ時間とするためただちにステップＳ4 に進む。ステップＳ4 では上昇スイッチ、停止スイッチおよび下降スイッチの入力の有無を判断し、上昇スイッチの場合ステップＳ5 で上昇処理し、下降スイッチの場合ステップＳ6 で記憶手段１の下降時間だけ下降処理し、停止スイッチの場合ステップＳ7 で停止処理する。
【００１２】
プリセットモード制御手段では、ステップＰＳ1 で上昇スイッチ、停止スイッチおよび下降スイッチの入力の有無を判断し、上昇スイッチの場合ステップＰＳ2 で上昇前に照明器具が下降した下降時間のカウンタによるカウンタ値が規定時間以上か否かを判断し、ＹＥＳであればステップＳ3 でカウンタ値を記憶手段１に記憶してステップＰＳ3 の上昇処理に進み、ＮＯであればつぎの下降時には記憶手段１の時間値で下降動作するものとしてステップＰＳ3 の上昇処理に進む。ステップＰＳ1 で下降スイッチの場合ステップＰＳ4 で記憶手段１で記憶した下降時間内下降処理し、ステップＰＳ1 で停止スイッチの場合ステップＰＳ5 で停止処理を行う。
【００１３】
この結果、各動作モードは、記憶手段１の下降時間の最新の設定を自動的に各動作モードの設定とすることとなる。
この実施の形態によれば、各モードに入力した下降時間の取扱いを各々のモードで持つのではなく、最終に入力したモードの値がすべてのモードに共通となり記憶している値を書き換えてしまうため、モードの違いによる停止位置の違いが生じず、どのモードで操作しても同じ位置に停止することができる。このため、モード選択の勘違いがあっても停止位置は１種類しかないので、思っていた停止位置を過ぎて停止することがなくなる。
【００１４】
また操作者による停止位置の違いが全くなくなるので、最後に記憶させたときと違うモードであっても停止位置を再現することができる。このことは停止位置の設定はどのモードによるかではなく、最後に設定した値が記憶され再現されるという非常に単純明解な減速で表現できる。またモードを意識することなく好みのモードで操作すればよくなり、使い方が簡単明瞭になるとともに操作者側に立ったシステムとして効果がある。
【００１５】
【発明の効果】
請求項１記載の照明昇降装置制御装置によれば、タイマモード制御手段およびプリセットモード制御手段ともに記憶手段に記憶した下降時間で照明器具を自動停止することができる。したがって、モードの違いによる停止位置の違いが生じず、どのモードで操作しても同じ位置に停止することができる。
【図面の簡単な説明】
【図１】この発明の一実施の形態の概略説明図である。
【図２】オートリフタの制御盤のブロック図である。
【図３】オートリフタの説明図である。
【図４】プリセットモード制御手段およびタイマモード制御手段の制御フロー図である。
【符号の説明】
１    記憶手段
２    タイマモード制御手段
３    プリセットモード制御手段
【図１】
0003681530.tif 000002
【図２】
0003681530.tif 000003
【図３】
0003681530.tif 000004
【図４】
0003681530.tif 000005